(57)【要約】【課題】室内の通気効率を好適に向上すること。【解決手段】建物１０の一面側を向く外壁１３には窓部１５が設けられている。この窓部１５の上方には、シャッタ装置３０が配設されている。シャッタ装置３０は、個別に回動可能な複数のスラット３２によって構成されたシャッタカーテン３１を有している。シャッタカーテン３１において降下位置に配置された状態にて窓部１５と対向している部分には、複数のスラット３２の一部が回動して開状態となることで上下に離間して複数の通気口（上側通気口５１及び下側通気口）が形成される。シャッタケース３３には、それら両通気口５１，５２のうち前者への屋外側からの風の流入を規制する規制面を有し、当該上側通気口５１に屋外側から所定の隙間を隔てて対向するようにして配置された制御板６１が設けられている。【選択図】      図３
2013044147.tif 000002
【特許請求の範囲】
【請求項１】
建物の一面側において所定の建物外面部に、屋内外に開放された第１開放部及び第２開放部が相互に離間して形成され、それら開放部を通じて屋外空間と屋内空間との通風が可能となっており、
前記両開放部のうち前記第２開放部には、屋外側からの前記第２開放部への風の流入を規制する規制面を有し、当該第２開放部に屋外側から所定の隙間を隔てて対向するようにして配置された規制部が設けられており、
前記第２開放部及び前記所定の隙間を通じて屋内空間から風が流出することを特徴とする建物の通風設備。
【請求項２】
建物の一面を構成する外壁部に設けられた窓開口と、
前記窓開口に設けられ、同窓開口を開閉する窓開閉パネルと、
前記窓開口を屋外側から覆うシャッタカーテンを有してなるシャッタ装置と
を備え、
前記シャッタカーテンは、前記外壁部と前記規制部との間に位置し、前記所定の建物外面部を構成するものであり、
前記シャッタカーテンに前記各開放部が形成される構成となっていることを特徴とする請求項１に記載の建物の通風設備。
【請求項３】
前記シャッタ装置には、前記規制部を支持する支持部が設けられていることを特徴とする請求項２に記載の建物の通風設備。
【請求項４】
前記シャッタ装置は、前記シャッタカーテンを収容するシャッタ収容部を有し、
前記シャッタ収容部は前記外壁部から屋外側へ張り出すようにして形成されており、当該シャッタ収容部には前記規制部を収容する部分が設けられていることを特徴とする請求項３に記載の建物の通風設備。
【請求項５】
前記シャッタ装置は、
前記シャッタカーテンを収容するシャッタ収容部に回動可能に設けられ、前記シャッタカーテンを巻き取る巻取ドラムと、
前記巻取ドラムが動作した場合に前記シャッタカーテンを前記外壁部に沿うようにしてガイドするガイド部と
を有し、
前記ガイド部は、前記巻取ドラムの回動中心部よりも前記外壁部寄りとなるように配置されており、
前記規制部は、前記シャッタ収容部において前記シャッタカーテンの収容領域よりも前記外壁部から遠い位置に配されていることを特徴とする請求項２乃至請求項４のいずれか１つに記載の建物の通風設備。
【請求項６】
前記窓開閉パネルは、閉位置及び開位置にスライド可能に設けられており、
前記シャッタカーテンは、前記窓開閉パネルのスライド方向と直交する方向に移動可能となっており、
さらに、前記シャッタカーテンは、当該シャッタカーテンの移動方向に並べて設けられた複数のスラットが回動可能に連結されてなるスラット式のシャッタカーテンであり、
前記各スラットを回動させることで、前記シャッタカーテンの移動方向に離間させて前記各開放部を形成する開放部形成手段を備えていることを特徴とする請求項２乃至請求項５のいずれか１つに記載の建物の通風設備。
【請求項７】
前記各開放部は前記所定の建物外面部において前記第２開放部よりも前記第１開放部が下側となるように構成されており、
上下方向における前記第１開放部の開放量が前記第２開放部の開放量よりも小さいことを特徴とする請求項１乃至請求項６のいずれか１つに記載の建物の通風設備。
【請求項８】
前記規制部を、屋外から風が前記第２開放部へ流入することを規制する規制状態と当該規制を行わない非規制状態とに切り替えることが可能な切替機構を備えていることを特徴とする請求項１乃至請求項７のいずれか１つに記載の建物の通風設備。
【請求項９】
前記各開放部は前記第２開放部よりも前記第１開放部が下側となるように構成されており、
前記規制部は、板状をなし、その上端部を中心として回動可能となっており、
前記規制部に屋外側から前記所定の建物外面部に向けた風が当たることにより、当該規制部が前記第２開放部に近づく側へ回動することを特徴とする請求項１乃至請求項８のいずれか１つに記載の建物の通風設備。
【請求項１０】
前記規制部は、前記規制を行なう規制状態と同規制を行わない非規制状態とに切替可能となっており、
屋外に設けられ、建物の前記一面に向けて風が吹いているか否かの判定を行う風向判定手段と、
前記規制部を駆動させる駆動部と、
前記風向判定手段により、前記一面に向けて風が吹いていると判定された場合に、前記規制部を前記規制状態に切り替えるように前記駆動部を駆動制御する駆動制御手段と
を備えていることを特徴とする請求項１乃至請求項９のいずれか１つに記載の建物の通風設備。
【発明の詳細な説明】
【技術分野】
【０００１】
本発明は、建物の通風設備に関する。
【背景技術】
【０００２】
建物には外壁の一面に窓を複数設けて通気性の向上を試みているものがある（特許文献１参照）。しかしながら、外壁の一面に複数の窓が設けられた部屋においては、それら窓以外が閉鎖された状態にて上記一面に直交する方向から風が吹いている場合には、同窓を開放したとしてもそれら窓から流入した風を屋外へ逃がすための出口が確保されにくくなり、所望とする通気性の向上効果が得られない。
【先行技術文献】
【特許文献】
【０００３】
【特許文献１】特開平１０−６１３４３号公報
【発明の概要】
【発明が解決しようとする課題】
【０００４】
外壁の一面に設けられた窓によって通気を行う場合には、当該一面に直交する方向から風が吹いている場合に窓による通気機能が上手く発揮されない場合があり、通気にかかる構成に未だ改善の余地がある。
【０００５】
本発明は、上記事情に鑑みてなされたものであり、通気効率を好適に向上することができる建物の通風設備の提供を目的とするものである。
【課題を解決するための手段】
【０００６】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００７】
手段１．建物の一面側において所定の建物外面部（シャッタカーテン３１）に、屋内外に開放された第１開放部（下側通気口５２）及び第２開放部（上側通気口５１）が相互に離間して形成され、それら開放部を通じて屋外空間と屋内空間との通風が可能となっており、
前記両開放部のうち前記第２開放部には、屋外側からの前記第２開放部への風の流入を規制する規制面（制御板６１において外壁１３とは反対側を向いた板面）を有し、当該第２開放部に屋外側から所定の隙間を隔てて対向するようにして配置された規制部（制御板６１）が設けられており、
前記第２開放部及び前記所定の隙間を通じて屋内空間から風が流出することを特徴とする建物の通風設備。
【０００８】
手段１によれば、第１開放部及び第２開放部が設けられた建物外面部に向けて屋外から風が吹いている場合に、両開放部のうち規制部が設けられた一方（第２開放部）には、他の開放部（第１開放部）と比較して風が流入しにくくなる。規制部と第２開放部との間には所定の隙間が形成されており、第１開放部から屋内に流入することで、屋内（室内）の空気が第２開放部を通じて屋外へ押し出されることとなる。つまり、第１開放部を風の入口、第２開放部を風の出口として機能する。
【０００９】
第２開放部の周辺では規制部をかわして上記一面に吹き付ける風により当該第２開放部を通じて屋内の空気が吸い出されようにして圧力差が生じる。これにより、第１開放部から屋内に流入した風が第２開放部を通じて屋外へ流出することとなる。このような風の流れを生じさせることで、通気効率を向上させることができる。
【００１０】
なお、例えば規制部によって第２開放部の周辺（詳しくは屋外側）に負圧を発生させる構成とすれば、通気効率の向上を好適に実現させることができる。
【００１１】
手段２．建物の一面を構成する外壁部（外壁１３）に設けられた窓開口（窓部１５）と、
前記窓開口に設けられ、同窓開口を開閉する窓開閉パネル（サッシ戸２５）と、
前記窓開口を屋外側から覆うシャッタカーテン（シャッタカーテン３１）を有してなるシャッタ装置（シャッタ装置３０）と
を備え、
前記シャッタカーテンは、前記外壁部と前記規制部との間に位置し、前記所定の建物外面部を構成するものであり、
前記シャッタカーテンに前記各開放部が形成される構成となっていることを特徴とする手段１に記載の建物の通風設備。
【００１２】
手段２に示すように、シャッタカーテンに第１開放部及び第２開放部を形成する構成とすれば、予め建物の外壁部に窓開口を複数設けておく必要がなくなり、手段１等に示した技術的思想の適用範囲を拡げることができる。
【００１３】
因みに、本手段に示す技術的思想を具現化する場合には、以下の構成を採用するとよい。すなわち「前記シャッタカーテンは複数のスラットが回動可能に連結されてなるスラット式のシャッタカーテンであり、各スラットを回動させることで、シャッタカーテンを部分的に開放させ、その開放により前記各開放部を形成する開放部形成手段を備えている構成」を採用するとよい。
【００１４】
手段３．前記シャッタ装置には、前記規制部を支持する支持部（シャッタケース３３やシャッタレール３７）が設けられていることを特徴とする手段２に記載の建物の通風設備。
【００１５】
例えば開放部の上方に軒先や上階のベランダの下面等が存在する場合には、これら軒先等に規制部を設けることも可能である。しかしながら、通風設備の設置にこれら軒先等の構成が必須となることは、通風設備の適用を妨げる要因になるため好ましくない。
【００１６】
この点、本手段に示すようにシャッタ装置に規制部を支持する支持部を設ける構成とすれば、既存の窓に対する通風設備にかかる構造の適用が容易となる。これにより、通風設備の設置を促進することができる。また、建設済みの建物においてもシャッタカーテンや規制部等からなるユニットを設置することで通気効率の向上を図ることができる。
【００１７】
手段４．前記シャッタ装置は、前記シャッタカーテンを収容するシャッタ収容部（シャッタケース３３）を有し、
前記シャッタ収容部は前記外壁部から屋外側へ張り出すようにして形成されており、当該シャッタ収容部には前記規制部を収容する部分が設けられていることを特徴とする手段３に記載の建物の通風設備。
【００１８】
手段４に示すようにシャッタカーテンを収容するシャッタ収容部が外壁部から屋外側へ張り出すようにして形成されている構成においては、シャッタ収容部にシャッタを収容するためのスペースが確保される。ここで、シャッタ収容部に規制部用の収容部分を設ける構成とすれば、規制部専用の収容スペースを別途設ける必要がなくなり、通風設備にかかる構成の簡素化に貢献できる。また、ケースの張り出しを利用することで、規制部を手段１に示した配置（第２開放部に屋外側から所定の隙間を隔てて対向する配置）を実現する上で有利である。
【００１９】
風向きや風速等が通風設備の使用に適さない状況下等の流入規制が不要な状況下にて規制部を収容することが可能となる。このようにして規制部を収容可能とすることは、通風機能の担保や規制部の保護の観点から好ましい。
【００２０】
手段５．前記シャッタ装置は、
前記シャッタカーテンを収容するシャッタ収容部（シャッタケース３３）に回動可能に設けられ、前記シャッタカーテンを巻き取る巻取ドラム（巻取ドラム３５）と、
前記巻取ドラムが動作した場合に前記シャッタカーテンを前記外壁部に沿うようにしてガイドするガイド部（レールケース３７のカーテン用溝部３８）と
を有し、
前記ガイド部は、前記巻取ドラムの回動中心部よりも前記外壁部寄りとなるように配置されており、
前記規制部は、前記シャッタ収容部において前記シャッタカーテンの収容領域よりも前記外壁部から遠い位置に配されていることを特徴とする手段２乃至手段４のいずれか１つに記載の建物の通風設備。
【００２１】
手段５によれば、シャッタカーテンの収容スペースの確保と開放部及び規制部との間のスペースの確保とを好適に実現することができる。
【００２２】
なお、例えばシャッタカーテンにおいて巻取ドラムから離れる箇所が巻取ドラムの回動中心部よりも上記外壁部よりとなるように構成を採用すれば、シャッタカーテンの巻取りの円滑化を図りつつ上記スペースの確保が可能となる。
【００２３】
手段６．前記窓開閉パネルは、閉位置及び開位置にスライド可能に設けられており、
前記シャッタカーテンは、前記窓開閉パネルのスライド方向と直交する方向に移動可能となっており、
さらに、前記シャッタカーテンは、当該シャッタカーテンの移動方向に並べて設けられた複数のスラットが回動可能に連結されてなるスラット式のシャッタカーテンであり、
前記各スラットを回動させることで、前記シャッタカーテンの移動方向に離間させて前記各開放部を形成する開放部形成手段（係合リンク部４２等）を備えていることを特徴とする手段２乃至手段５のいずれか１つに記載の建物の通風設備。
【００２４】
第１開放部を通じて屋内に流入した風が第２開放部を通じて屋外に流出する構成においては、両開放部の間隔を担保することにより、屋内空間（例えば室内空間）にて通気が行われにくくなる箇所を減らすことができ、通気効率向上効果の影響が及ぶ範囲を拡げることができる。但し、開放部を通じて屋内に流入する風は外壁にもうけられた窓開口を通過する。このため、窓開口と両開放部との位置関係によってはそのような効果が上手く発揮されない可能性がある。
【００２５】
ここで、本手段に示すスラット式のシャッタカーテンにおいては、窓開閉パネルのスライド方向とシャッタカーテンの移動方向とを直交させることで、開放部と窓開口との間での風の流れを妨げにくくしつつ、第１開放部と第２開放部との間隔を担保しやすくなる。これにより、既存の構成（窓開口や窓パネル）とシャッタ装置とを上手く共存させることができ、通気効率向上効果の影響が及ぶ範囲の広域化を好適に実現することができる。
【００２６】
手段７．前記各開放部は前記所定の建物外面部において前記第２開放部よりも前記第１開放部が下側となるように構成されており、
上下方向における前記第１開放部の開放量が前記第２開放部の開放量よりも小さいことを特徴とする手段１乃至手段６のいずれか１つに記載の建物の通風設備。
【００２７】
下側の第１開放部（入口）を第２開放部よりも小さくすることで、第１開放部を通じて屋内に引き込む風の速度を大きくすることができる。これにより、居住者に近い位置での風の流れを強くし、通気を体感させやすくなる。また、下側の開放部を小さくすることにより、通気機能を担保しつつ防犯機能の向上に貢献することができる。
【００２８】
手段８．前記規制部を、屋外から風が前記第２開放部へ流入することを規制する規制状態と当該規制を行わない非規制状態とに切り替えることが可能な切替機構（レールケース３７等）を備えていることを特徴とする手段１乃至手段７のいずれか１つに記載の建物の通風設備。
【００２９】
屋外における風向きについては、常に同じであるとは限らない。例えば所定の建物外面部に沿うようにして風が吹いている場合には、規制部が通気の邪魔になる可能性がある。そこで、規制部を非規制状態とすることで、そのような不都合の発生を抑えることができる。また、強風時等には規制部を非規制状態に切り替えることで規制部に生じる負荷（圧力）を低減することが可能となり、規制部に破損等の不都合が生じることを抑制できる。
【００３０】
なお、手段２との組合せにおいては特に、「シャッタカーテンによって窓開口を覆った状態のまま、規制部を規制状態／非規制解除状態に切り替え可能とする」構成とすることで、利便性を高めることができる。
【００３１】
手段９．前記各開放部は前記第２開放部よりも前記第１開放部が下側となるように構成されており、
前記規制部は、板状をなし、その上端部を中心として回動可能となっており、
前記規制部に屋外側から前記所定の建物外面部に向けた風が当たることにより、当該規制部が前記第２開放部に近づく側へ回動することを特徴とする手段１乃至手段８のいずれか１つに記載の建物の通風設備。
【００３２】
手段９によれば、規制部が風を受けて回動することにより、建物外面部に対する傾きが変化する。このため、規制部に当たった風は、当該規制部に沿うようにして向きが変更され、第２開放部から遠ざかるように移動する。これにより、第２開放部周辺（屋外）では第２開放部から空気を吸い出すようにして圧力差（負圧）が生じやすくなり、上記通気効率の向上を図ることができる。
【００３３】
なお、本手段においては「前記規制部における前記第１開放部側の端部は、前記第２開放部における同第１開放部側の端部よりも同第１開放部側に位置するようにして形成されている」構成、又は「前記規制部が第２開放部よりも大きく形成され、当該規制部によって第２開放部を覆われている」構成とすることで、風の誘導機能を好適に発揮させることができる。
【００３４】
手段１０．前記規制部は、前記規制を行なう規制状態と同規制を行わない非規制状態とに切替可能となっており、
屋外に設けられ、建物の前記一面に向けて風が吹いているか否かの判定を行う風向判定手段（制御装置７０）と、
前記規制部を駆動させる駆動部（制御板用駆動部６８）と、
前記風向判定手段により、前記一面に向けて風が吹いていると判定された場合に、前記規制部を前記規制状態に切り替えるように前記駆動部を駆動制御する駆動制御手段（制御装置７０）と
を備えていることを特徴とする手段１乃至手段９のいずれか１つに記載の建物の通風設備。
【００３５】
手段１０によれば、建物の一面（第１開放部及び第２開放部が設けられている面）に向けて屋外側から風が吹いている場合に規制部が規制状態に切り替えられることとなる。これにより、通風設備の利便性の向上が期待できる。
【図面の簡単な説明】
【００３６】
【図１】第１の実施形態における建物のシャッタ装置及びその周辺構成の概略的に示す縦断面図。
【図２】シャッタ装置を正面側から見た概略図。
【図３】シャッタケース周辺の構成を示す縦断面図。
【図４】シャッタカーテンの各種状態を示す概略図。
【図５】通気制御処理を示すフローチャート。
【図６】通気の様子を示す概略図。
【図７】第２の実施の形態におけるシャッタ装置を示す概略図。
【図８】第３の実施の形態におけるシャッタ装置を示す概略図。
【発明を実施するための形態】
【００３７】
＜第１の実施の形態＞
以下、本発明を具体化した第１の形態について図面を参照しつつ説明する。本実施形態では、シャッタ装置が設けられた建物にて具体化している。図１は建物におけるシャッタ装置及びその周辺構成を概略的に示す縦断面図、図２はシャッタ装置を屋外側から見た同シャッタ装置の正面図である。なお、図１はシャッタ装置に関する電気的な構成を示すブロック図を含んでおり、図２はシャッタ装置を半開させた状態を示している。
【００３８】
図１に示すように、住宅等の建物１０には建物内空間としての居室１２が設けられている。建物１０の外壁１３のうち居室１２と屋外とを仕切る部分には、建物開口部としての窓部１５が形成されている。窓部１５は、引き違い式の窓を構成するものであり、開口縁に沿うようにして取り付けられた窓サッシ２１と窓部１５を開閉する開閉体としての左右一対のサッシ戸２５（詳しくはガラス戸）とを有してなる（図２参照）。
【００３９】
窓サッシ２１は上下一対のサッシ戸用レール２２を有しており、これらサッシ戸用レール２２によってサッシ戸２５がサッシ戸用レール２２に沿う方向（水平方向）にスライド移動可能な状態で保持されている。サッシ戸２５をサッシ戸用レール２２に沿ってスライド移動させることにより窓部１５が開閉することができる。
【００４０】
窓部１５においてサッシ戸２５の屋外側にはシャッタ装置３０が設けられている。シャッタ装置３０は、昇降するシャッタカーテン３１と、シャッタカーテン３１を収納するシャッタケース３３とを有している。シャッタケース３３は、窓部１５の上方に配置され、外壁１３の屋外面に固定されている。
【００４１】
ここで、図１〜図３を参照して、シャッタケース３３及びそれに付随する構成について説明する。図３はシャッタケース周辺の構成を示す縦断面図（図１の部分拡大図）である。
【００４２】
図３に示すように、シャッタケース３３はサッシ戸用レール２２に沿って左右に延びる横長箱状に形成されており、その下面にはシャッタカーテン３１を出入りさせるためのカーテン出入口３４が設けられている。
【００４３】
シャッタケース３３の内部にはシャッタカーテン３１を巻き取る巻取ドラム３５が設けられている。巻取ドラム３５は水平方向に延びる回転軸を中心として回転可能となっている。シャッタカーテン３１は巻取ドラム３５が所定の方向に回転することで巻き取られてシャッタケース３３に収納され、巻取ドラム３５が所定の方向とは反対側に回転することで巻取ドラム３５から繰り出されてシャッタケース３３から引き出される。
【００４４】
図２に示すように、シャッタケース３３には同シャッタケース３３から下方に延びるようにして左右一対のレールケース３７が取り付けられている。レールケース３７は、窓部１５を挟むようにして同窓部１５の左右両側に設けられている。
【００４５】
レールケース３７において窓部１５側を向いている部分（相対向している部分）には、上下方向に延びるカーテン用溝部３８が形成されている。カーテン用溝部３８にはシャッタカーテン３１の端部が嵌まっており、これらカーテン用溝部３８によってシャッタカーテン３１の移動方向が規定されている。つまり、巻取ドラム３５が回動することで、シャッタカーテン３１はカーテン用溝部３８に沿って上下方向に移動する（昇降する）。
【００４６】
なお、レールケース３７の上端部がカーテン出入口３４を通じてシャッタケース３３内に入り込んでおり、シャッタカーテン３１がシャッタケース３３内に収容された状態であっても、シャッタカーテン３１の一部がカーテン用溝部３８に嵌まったままとなるように構成されている。これにより、シャッタカーテン３１を動作させた場合に、同シャッタカーテン３１がレールケース３７から外れることを回避している。
【００４７】
レールケース３７の下方には、シャッタカーテン３１の下端と平行に延びる長板状のシャッタ受部３９が設けられている。シャッタ受部３９はレールケース３７と同様に外壁１３から屋外側へ突出しており、左右の端部がレールケース３７に連結されている。シャッタ受部３９は、その板面がシャッタケース３３の下面と対向しており、シャッタカーテン３１を閉じた場合にシャッタカーテン３１とシャッタ受部３９とが当接することで外壁１３に吹き付ける風がシャッタカーテン３１やシャッタ受部３９を迂回して窓部１５に到達することが回避される構成となっている。
【００４８】
ここで、シャッタカーテン３１の構成について補足説明する。シャッタカーテン３１はスラット３２を複数有するスラット式シャッタカーテンとなっている。スラット３２は横長形状に形成されており、シャッタカーテン３１において上下に並べられている。この場合、複数のスラット３２はシャッタカーテン３１の移動方向に沿って並んでおり、各スラット３２が一体的に上下方向にスライド移動することによりシャッタカーテン３１が昇降することになる。
【００４９】
スラット３２は、鉛直方向又は水平方向を基準とした傾斜角度が調整可能となっている。具体的には、シャッタ装置３０には、各スラット３２の傾斜角度を調整するための開閉ガイド機構４１が設けられている。開閉ガイド機構４１は、スラット３２の端部に係合可能な係合リンク部４２を有しており、係合リンク部４２は全てのスラット３２に各々設けられそれら各スラット３２と係合可能になっている。開閉ガイド機構４１は、係合リンク部４２を各スラット３２に対して係合及び解除させる機能と、係合リンク部４２をスラット３２と係合させた場合にその係合リンク部４２を介してスラット３２を回動させる機能とを有しており、スラット３２を回動させることでスラット３２の傾斜角度を調整する。開閉ガイド機構４１は、スラット３２ごとに個別に傾斜角度を調整することが可能となっている。なお、開閉ガイド機構４１はレールケース３７の内部に設けられている。
【００５０】
スラット３２は、その長手方向に延びる回動軸を中心として回動可能となっている。回動軸は係合リンク部４２と係合する部分を含んで水平方向に延びている。隣り合うスラット３２は、それぞれが鉛直方向に立った状態となることで当接又は連結される。つまり、上のスラット３２の下端と下のスラット３２の上端とが当接又は連結される。この場合、隣り合うスラット３２間には隙間が形成されておらず、その隙間を空気が通らないようになっている。これに対して、スラット３２が鉛直方向に対して傾斜している場合、隣り合うスラット３２間に隙間が形成され、その隙間を空気が通ることが可能となる。したがって、スラット３２は、鉛直方向に延びている場合（以下、閉状態という）に通気を許容しない状態となり、この状態から回動して鉛直方向に対して傾斜することで（以下、開状態という）通気を許容する状態となる。
【００５１】
なお、隣り合うスラット３２は図示しない連結部材により上下で連結されている。連結部材はシャッタカーテン３１の昇降やスラット３２の回動に際して支障とならない位置に設けられている。詳しくは、連結部材は、スラット３２の側方に設けられており、レールケース３７のカーテン用溝部３８内に収納される構成となっている。
【００５２】
シャッタ装置３０には、巻取ドラム３５を回転させる巻取駆動部４５と、スラット３２を回動させるスラット駆動部４６とが設けられている。巻取駆動部４５及びスラット駆動部４６はそれぞれ電気モータを含んで構成されており、巻取駆動部４５は駆動することでシャッタカーテン３１を昇降させ、スラット駆動部４６は駆動することで各スラット３２の傾斜角度を個別に変えることが可能となっている。
【００５３】
居室内には、シャッタカーテン３１の開閉時等に操作される操作部８４や、操作部８４の操作に応じて駆動部４５，４６等を駆動させる制御装置７０等が設けられており、室内側からシャッタカーテン３１を操作することが可能となっている。これにより、シャッタカーテン３１を動かすために都度サッシ戸２５を開放する等してシャッタカーテン３１にアクセスする手間がなくなり、利便性の向上を実現している。
【００５４】
本実施の形態においてはシャッタカーテン３１を複数のスラット３２により構成することで、屋内外の状況等に応じてユーザがシャッタカーテン３１を所望とする状態に切り替えることが可能となっている。ここで、図４を参照して、シャッタカーテン３１の状態切替について説明する。図４はシャッタカーテン３１の各種状態を示す概略図である。
【００５５】
シャッタカーテン３１がシャッタケース３３に収容されている状況下にて、ユーザが操作部８４に設けられた閉スイッチを操作した場合には、制御装置７０から巻取駆動部４５に駆動信号が出力される。これにより、巻取ドラムが回転し、シャッタカーテン３１が降下し、窓部１５がシャッタカーテン３１によって屋外側から覆われることとなる（図４（ａ）参照）。
【００５６】
図４（ａ）に示すように全てのスラット３２が閉状態となっている場合には、防犯機能を高めたりプライバシを確保したりすることができる。しかしながら、かかる状態では、シャッタカーテン３１を通じた通気が不可となるため、窓部１５を開放したとしても通気を行うことができない。
【００５７】
本実施の形態における操作部８４には、シャッタカーテン３１を昇降させるためのスイッチの他に、スラット３２を開状態とすることでシャッタカーテン３１を降下させた状態のまま通気を行うことができる構成となっている。より詳しくは、通気用スイッチとして、シャッタカーテン３１全体にてスラット３２を開状態に切り替えるための全体開放用スイッチと、一部のスラット３２を開状態に切り替えるための部分開放用スイッチとが設けられている。
【００５８】
図４（ａ）に示す状態にて、全体開放用スイッチが操作された場合には、制御装置７０からスラット駆動部４６に駆動信号が出力される。これにより、開閉ガイド機構４１が動作して、シャッタケース３３から突出している全てのスラット３２が開状態に切り替わることとなる（図４（ｂ）参照）。これにより、防犯機能を担保しつつ、スラット３２間の隙間を通じた通気が許容されることとなる。
【００５９】
但し、図４（ｂ）に示すように、全てのスラット３２を開状態とした場合には、プライバシの確保等が困難になり、特に夜間等に空調の使用を控えて通気を行う場合には好ましくない。
【００６０】
ここで、図４（ａ）又は図４（ｂ）に示す状態にて部分開放用スイッチが操作された場合には、制御装置７０からスラット駆動部４６に駆動信号が出力される。これにより、開閉ガイド機構４１が動作して、中間部のスラット３２が閉状態、上部及び下部のスラット３２が開状態となる（図４（ｃ）参照）。つまり、シャッタカーテン３１には、窓部１５の上端寄りに位置する上側通気口５１と、窓部１５の下端寄りに位置する下側通気口５２とが形成されることとなる。このように、一部のスラット３２のみを開状態とすることで、防犯性及び通気性を考慮しつつ、プライバシを確保することができる。
【００６１】
このように部分開放を行うことでシャッタカーテン３１に上下に離間して２つの通気口５１，５２が形成され、サッシ戸２５の開放により通気が許容される部分（窓部１５）が上下に２分された状態となる。本実施の形態においては、これら２つの通気口５１，５２を利用して通気を行う際の通気効率の向上を実現させる上で特徴的な構成が採用されている。ここで、図２、図３及び図４（ｂ）を参照して、通気効率向上にかかる構成について説明する。なお、以下の説明においては、シャッタカーテン３１に２つの通気口５１，５２が形成されている状態を前提として説明する。
【００６２】
図３に示すように、シャッタケース３３には、上側通気口５１への風の流入を制御する制御部として平板状の制御板６１が取り付けられている。制御板６１は、レールケース３７の制御板用溝部６６によって、シャッタケース３３から突出する突出位置と、突出しない収容位置とにスライド移動可能に保持されている。なお、図２及び図３においては、突出位置に配置された制御板６１を２点鎖線によって示している。
【００６３】
レールケース３７の構成について補足説明すれば、レールケース３７の上部には窓部１５とは反対側（屋外側）へ張り出す張出部６５が形成され、レール幅が部分的に拡張されている。この張出部６５には、カーテン用溝部３８と平行となるようにして（上下方向に延びるようにして）上記制御板用溝部６６が形成されている。両レールケース３７の制御板用溝部６６は、カーテン用溝部３８と同様に、相対向する側に開放されており、これら制御板用溝部６６に制御板６１の左右の端部が嵌まった状態となっている。制御板用溝部６６には制御板６１の移動方向を規定する機能が付与されており、制御板６１が制御板用溝部６６に沿って摺動可能となっている。
【００６４】
制御板用溝部６６の下端部には、制御板６１に下側から当接するストッパ部６７が形成されており、このストッパ部６７に当接した位置が制御板６１の最大突出位置である。制御板６１は、最大突出位置に配置されている場合には上側通気口５１と対向し、収容位置に配置されている場合には上側通気口５１との対向が回避される構成となっており、特に最大突出位置に配置されている場合に屋外側から見て（外壁１３の正面視にて）上側通気口５１を完全に覆うことができるように形成されている。外壁１３に向けて風が吹いている場合には、制御板６１が最大突出位置に配置されることで上側通気口５１への風の流入が規制されることとなる。
【００６５】
制御板６１は制御板６１と上側通気口５１との間を空気が移動できるように離して設けられており、制御板６１とスラット３２（上側通気口５１）との距離Ｄ１は、窓部１５が開放され且つ両通気口５１，５２が形成された状態で、外壁１３に向けて吹き付けている風が上側通気口５１に流入しないように設定されている。より詳しくは、制御板６１と上側通気口５１との距離が遠すぎると外壁１３に向けて吹き付けている風が制御板６１を迂回して上側通気口５１に流入し、制御板６１と上側通気口５１との距離が近すぎると上側通気口５１を風の出口として機能させにくくなる。これらの事情を考慮して、本実施の形態においては、制御板６１と上側通気口５１との距離Ｄ１を２０ｃｍ〜１ｍｍに設定している。
【００６６】
なお、制御板６１の下端部については、上側通気口５１よりも下側に位置し、閉状態となっているスラット３２と対向するように構成されている。このようにして、制御板６１と閉状態となっているスラット３２との重なりを担保することで、仮に制御板６１を巻き込むような風の流れが生じた場合であっても、当該風が上側通気口５１へ流入することを抑制可能となっている。
【００６７】
ここで、図４（ｃ）を参照して、居室１２において窓部１５以外（例えばドア等）が全て閉鎖された状態における制御板６１による通気態様の変化について説明する。なお、図４（ｃ）においては、最大突出位置に配置された制御板６１を２点鎖線で示している。
【００６８】
屋外側から外壁１３に向けて風が吹きつけている場合には、制御板６１が最大突出位置に配置されることで、上側通気口５１への風の流入が規制される。一方、下側通気口５２への風の流入を妨げるものは存在しないため、上側通気口５１と下側通気口５２とでは圧力差が生じ、下側通気口５２から居室１２に流入した風が、居室内空間を経て上側通気口５１へ向う。その後、上側通気口５１を通じて屋外へと流出することとなる。つまり、下側通気口５２が屋外からの風の入口として機能し、上側通気口５１が屋外へ向けた風の出口として機能することとなる。
【００６９】
ここで、制御板６１が最大突出位置に配置されている場合には、制御板６１の周辺に吹き付ける風により、制御板６１とシャッタカーテン３１との段差部分、詳しくは制御板６１の先端部と閉状態のスラット３２とに挟まれた部分に上側通気口５１を通じて居室１２内の空気を吸い出すようにして負圧が発生する。このように、屋外からの向かい風を利用して居室１２の空気を上側通気口５１から排出させることにより、上述した風の流れを強くし、通気効率の向上を実現することができる。
【００７０】
上側通気口５１の上下幅Ｄ１は、下側通気口５２の上下幅Ｄ２よりも大きく設定されている。このため、上側通気口５１を通じた屋外側への風の流出速度と比較して、下側通気口５２を通じた居室１２側への風の流入速度を高くすることができる。これは、居室１２の床面に近い側にて風の流れを強くすることができ、通気の影響をユーザに実感させやすくすることができる。
【００７１】
また、上側通気口５１については、その開口面積を大きくすることで、吸出しの影響が及びやすくなる。これにより、上述した通気効率の向上に貢献している。
【００７２】
本実施の形態においては、以上詳述した通気構造に通気を制御するための電気的構成を組み合わせることで通気システムが構築されており、利便性の向上及び通気効率の向上が図られている。以下、再び図１を参照して通気システムにおける電気的構成について説明する。
【００７３】
上記制御装置７０には、各種演算を行うＭＰＵや入出力ポートが設けられている。制御装置７０の入力側には、各通気口５１，５２における風向きを検出する風向センサ８１aと、屋外での風向きを検出する風向センサ８１ｂと、各通気口５１，５２における風速を検出する風速センサ８２と、サッシ戸２５が開放されているか否かを検出するサッシ戸センサ８３とが接続されている。また、上記操作部８４には、自動通気のオン／オフを切り替える自動通気スイッチが設けられている。制御装置７０においては、これら各種構成８１〜８４から入力された情報に基づいて自動通気に関する各種制御が実行される。
【００７４】
なお、風向センサ８１ａ及び風速センサ８２については、レールケース３７において上側通気口５１に隣接する位置及び下側通気口５２に隣接する位置に設けられており、サッシ戸センサ８３については窓サッシ２１に設けられているが、これら各種構成８１〜８３の詳細な配置については任意である。
【００７５】
制御装置７０の出力側には、上記巻取駆動部４５及びスラット駆動部４６に加え、制御板用駆動部６８が接続されている。自動通気を行う際には、ユーザにより自動通気スイッチが操作されたことに基づいて、制御装置７０からそれら各種構成４５，４６，６８に駆動信号が出力されることでシャッタカーテン３１（スラット３２）及び制御板６１が動作することとなる。
【００７６】
次に、図５のフローチャート及び図６の概略図を参照して、制御装置７０にて定期的（例えば１ｓｅｃ毎）に実行される通気制御処理及びそれによる通気態様の変化について説明する。
【００７７】
図５に示すように、通気制御処理においては先ず、ステップＳ１０１にて自動通気スイッチ８５がオンになっているか否かを判定する。ステップＳ１０１にて否定判定をした場合には、そのまま通気制御処理を終了する。
【００７８】
ステップＳ１０１にて肯定判定をした場合にはステップＳ１０２に進み、サッシ戸２５が開放されているか否かを判定する。ステップＳ１０２にて否定判定をした場合には、そのまま本通気制御処理を終了する。本実施の形態においてはサッシ戸２５が開放されていることが自動通気の実行条件の１つとなっており、サッシ戸２５が開放されていない場合にはユーザにその旨を報知する。
【００７９】
ステップＳ１０２にて肯定判定をした場合にはステップＳ１０３に進み、シャッタカーテン３１が降下位置（下限位置）に配置されているか否かを判定する。ステップＳ１０３にて否定判定をした場合にはステップＳ１０４に進み、シャッタカーテン３１の閉鎖処理を実行した後に本通気制御処理を終了する。シャッタカーテン３１の閉鎖処理においては、巻取駆動部４５に駆動信号を出力することで、シャッタカーテン３１を降下位置へ配置する。
【００８０】
ステップＳ１０３の説明に戻り、ステップＳ１０３にて肯定判定をした場合、すなわちシャッタカーテン３１が降下位置に配置されていると判定した場合には、ステップＳ１０５に進む。
【００８１】
ステップＳ１０５では、シャッタカーテン３１に上下の各通気口５１，５２が形成されているか否かを判定する。ステップＳ１０５にて否定判定をした場合にはステップＳ１０６に進み、上部及び下部のスラット３２を開状態に切り替えるための処理を実行する。具体的には、スラット駆動部４６に駆動信号を出力して、それらスラット３２が閉状態から開状態に切り替わるように回動させることで各通気口５１，５２を形成する。その後、本通気制御処理を終了する。
【００８２】
一方、ステップＳ１０５にて肯定判定をした場合には、ステップＳ１０７に進む。ステップＳ１０７では、風速センサ８２からの検出情報に基づいて、風速が第１規定値以下であるか否かを判定する。第１規定値は、強風時等に制御板が変形／破損等することを回避することを目的として設定された数値であり、風速が過度に大きくなった場合には制御板を保護するための処理を実行する。具体的には、ステップＳ１０８に進み、制御板収容処理を実行する。制御板収容処理では、制御板用駆動部６８に駆動信号を出力し、制御板６１を収容位置へと退避させる。ステップＳ１０８の処理を実行した後は、本通気制御処理を終了する。
【００８３】
ステップＳ１０７にて肯定判定をした場合には、ステップＳ１０９に進む。本実施の形態における自動通気においては、屋外の風の流れ等に応じて、制御板６１を用いた第１通気モードと制御板６１を用いない第２通気モードとの切り替えを行うことで通気効率の向上が実現される。ここで、ステップＳ１１０では先のモード切替又は自動通気開始時から所定時間が経過したか否かを判定する。所定時間が経過していないと判定した場合には、そのまま本通気制御処理を終了し、所定時間が経過していると判定した場合にはステップＳ１１１〜ステップＳ１１３に示すモード切替用処理を実行する。かかる構成とすることで、通気モードの切り替えが頻発することを回避している。
【００８４】
ステップＳ１０９にて肯定判定をした場合にはステップＳ１１０に進み、風向センサ８１ｂからの検出情報に基づいて、屋外での風向きが変化したか否かを判定する。ステップＳ１１０にて否定判定をした場合には、そのまま本通気制御処理を終了する。
【００８５】
一方、ステップＳ１１０にて肯定判定をした場合には、ステップＳ１１１に進む。ステップＳ１１１では、屋外の風が外壁１３に向けて吹いているか否かを判定する。ステップＳ１１１にて否定判定をした場合には、ステップＳ１０８にて上記第２通気モードへの切り替えを行った後、本通気制御処理を終了する。なお、ステップＳ１０８においては、既に説明したように、制御板６１を収容するべく制御板用駆動部６８へ駆動信号を出力する。このようにして、制御板６１が収容された状態が、第２通気モードである。
【００８６】
ステップＳ１１１にて肯定判定をした場合には、ステップＳ１１２に進む。ステップＳ１１２では、風向センサ８１ａ及び風速センサ８２からの検出情報に基づいて、各通気口５１，５２での風向きが同じであるか否か、又は各通気口５１，５２での風速が第２規定値以下であるか否かを判定する。
【００８７】
図６（ａ）に示すように、屋外側から外壁１３に向けて風が吹きつけている場合には、上側通気口５１及び下側通気口５２がともに正圧となる。このため、各通気口５１，５２に吹き付ける風の強さに差が生じる等して、それら通気口５１，５２にて圧力差が生じる等しない限りは、居室１２の通気が上手く行われない。
【００８８】
そこで、各通気口での風向きが同じである場合には、ステップＳ１１２にて肯定判定をし、ステップＳ１１３に進む。そして、ステップＳ１１３にて制御板降下処理を実行する。具体的には、制御板用駆動部６８に駆動信号を出力して、制御板６１を最大突出位置へと移動させる。
【００８９】
これにより、屋外からの風は下側通気口５２を通じて居室１２内に流入する一方で、上側通気口５１を通じた屋外からの風の流入が規制されることとなる。これにより、上側通気口５１と下側通気口５２とに圧力差が生じ、下側通気口５２から流入した風は、上側通気口５１から流出することとなる。
【００９０】
また、ステップＳ１１３にて、各通気口５１，５２における風速が第２規定値以下であると判定した場合にも、ステップＳ１１４にて制御板降下処理を実行した後、本通気制御処理を終了する。
【００９１】
上側通気口５１へ吹き付ける風と、下側通気口５２へ吹き付ける風とに強弱の差がある場合には、上述した圧力差によって僅かながら通気が行われる可能性がある。しかしながら、上述した差については、安定性及び大きさの確保が難しく、通気効率を高めることが困難になりやすい。そこで、ステップＳ１１３にて通気効率を担保する上で好ましい条件が揃っていないと判定した場合には、制御板６１を利用して通気効率を強制的に引き上げるべく、制御板６１を最大突出位置へと降下させる。この結果、図６（ａ）→図６（ｂ）に示すように、居室１２内への風の流入が担保され、通気効率を向上させることができる。
【００９２】
以上詳述した第１の実施形態によれば、以下の優れた効果を奏する。
【００９３】
例えば建物において各方向に設けられた外壁のうち１の外壁に向けて風が吹いている場合に、その外壁に設けられた窓部を単に開放しただけでは、同窓部から風が流入したとしても、その風を屋外へ逃がすための出口が確保されにくく、効率よく通気を行うことが困難になる。そこで、このような風向きの場合には、例えば風が吹きつけられている外壁の窓部とそれ以外の外壁に設けられた窓部とを各々開放して、両窓部のうち前者を風の入口、後者を風の出口とすることにより、自然換気の効率の向上に貢献することができる。
【００９４】
しかしながら、向きの異なる外壁を複数有していない居室や防犯等の観点から向きの異なる複数の外壁にそれぞれ窓部を設けることができない部屋等においては、上述した通気の工夫を行うことができず、風向きによっては通気効率を高めることが難しくなると想定される。
【００９５】
この点、本実施の形態に示す構成によれば、複数の窓部を必須とすることなく、通気効率を向上することができる。これにより、上述したように窓部の配置に制約が生じる場合であっても通気効率を向上させることができる。
【００９６】
シャッタ装置３０を用いて、風の入口と出口とを形成することが可能であるため、風の入口及び出口として機能する各窓部を設ける必要がない。つまり、１の窓部に対して単にシャッタ装置３０を適用するだけで、上記通気効率の向上を実現することができる。
【００９７】
更には、本実施の形態に示す通気を実行する上で必要となる各種構成を、シャッタ装置３０に集約することで以下の効果が期待できる。すなわち、既存の建物の窓開口に合わせて、シャッタ装置３０を設置することで、建設済みの建物においても事後的に通気効率の向上を図ることができ、建物本体側の構成に依存しない。これにより、シャッタ装置３０の適用範囲を拡げることができる。
【００９８】
外壁１３から張り出すようにして設けられたシャッタケース３３に制御板６１を取り付けることにより、シャッタカーテン３１に形成される上側通気口５１と制御板６１との距離を容易に確保することができる。
【００９９】
特に、制御板６１については、シャッタケース３３へ収容可能となっている。制御板６１を利用した通気を行わない場合には、制御板６１を収容することで採光や通気の妨げになることを回避できる。
【０１００】
屋外での風向きについては、常に同じであるとは限らない。例えば外壁１３に沿うようにして風が吹いている場合には、制御板６１が通気の邪魔になる可能性がある。この点、上述の如く制御板６１をシャッタケース３３内に収容可能とすれば、そのような不都合の発生を抑えることができる。なお、強風時等には、制御板６１を収容することにより、制御板６１を保護することができる。
【０１０１】
シャッタ装置３０にシャッタカーテン３１よりも屋外側となるようにして制御板６１を設けた場合には、屋内側から窓部１５を通じて制御板６１にアクセスしようとしてもシャッタカーテン３１によって当該アクセスが妨げられやすくなる。そこで、本実施の形態に示すようにシャッタカーテン３１によって窓部１５を覆った状態のまま屋内側にて制御板６１を収容位置及び最大突出位置へ移動可能とすることにより、シャッタカーテン３１が切り替えの邪魔になることを回避し、シャッタカーテン３１と制御板６１とを好適に共存させることができる。
【０１０２】
屋外での風向き等に合わせて、第１通気モードと第２通気モードとを自動で切り替える構成とすることで、通気効率の向上を図っている。具体的には、風が外壁１３に沿うようにして吹いている場合には、制御板６１を使用せずに上側通気口５１において風が横切る部分の面積を担保することで、通気効率を向上させることができる。そして、風が外壁１３に向けて吹いている場合には、上述の如く制御板６１をして上側通気口５１への風の流入を妨げることで通気効率を向上させることができる。
【０１０３】
上側通気口５１については、複数のスラット３２を開状態に切り替えることで形成されており、これら各スラット３２によって挟まれた領域が風の案内通路を構成している。これにより、居室１２から流出する風を所定の方向へと案内することが可能となっている。
【０１０４】
これら案内通路の先には、上述した負圧の発生領域が存在している。これにより、居室１２から流出した風は、負圧発生領域へ向けて移動しやすくなっており、排出効率の向上に貢献している。
【０１０５】
＜第２の実施の形態＞
上記第１の実施の形態においては、シャッタカーテン３１のスラット３２が回動可能に設けられており、スラット３２が回動することで、シャッタカーテン３１に通気口５１，５２が形成される構成が採用されていた。上述した圧力差や負圧を発生させる上では、制御板とシャッタカーテン３１との段差をある程度確保することが望ましい。ここで、第１の実施の形態にて、制御板６１をシャッタカーテン３１から遠ざけることで、当該段差を大きくしようとすれば、シャッタケース３３の厚さが嵩みやすくなる。
【０１０６】
本実施の形態においては、シャッタケースの厚さが嵩むことを抑えつつ、上側通気口と制御板との段差（すなわち上記所定の隙間）を大きくするための工夫が施されている。以下、図７を参照して、本実施の形態におけるシャッタカーテン３１と制御板６１との関係について説明する。なお、第１の実施の形態と同様の構成については説明を援用する。
【０１０７】
図７に示すように、本実施の形態においては、巻取ドラム３５Ｘにおけるシャッタカーテン３１Ｘの巻取方向が上記第１の実施の形態とは逆となっている。これに併せて、上記第１の実施の形態においては巻取ドラム３５の回転中心部よりも屋外側にカーテン用溝部３８を形成していたのに対して、本実施の形態においては巻取ドラム３５の回転中心よりも居室１２側にカーテン用溝部３８Ｘが形成されている。
【０１０８】
また、シャッタカーテン３１が巻取ドラム３５から離れる箇所（リリースポイントＲＰ）及び出入口３４Ｘについても、上記第１の実施の形態においては巻取ドラム３５の回転中心部よりも屋外側に位置していたのに対して、本実施の形態においては巻取ドラム３５の回転中心よりも居室１２側に位置するように構成されている。
【０１０９】
このように、巻取ドラム３５の回転中心よりも居室１２側にカーテン用溝部３８Ｘ、リリースポイントＲＰ、出入口３４Ｘを配したのは、巻取ドラム３５Ｘの回転時にシャッタカーテン３１Ｘがカーテン用溝部３８Ｘに沿って円滑に移動させるための工夫である。
【０１１０】
また、かかる配置とすることにより、第１の実施の形態と比較して、シャッタカーテン３１の収容領域を制御板６１とシャッタカーテン３１（上側通気口５１）との隙間の確保に利用しやすくなっている。これにより、シャッタカーテン３１と制御板６１との距離Ｄ２を上記第１の実施の形態における距離Ｄ１よりも大きくしたとしても、シャッタ装置３０全体の厚さが大きくなることを抑えることが可能となっている。
【０１１１】
そして、当該配置によれば、サッシ戸２５とシャッタカーテン３１との隙間を小さくして、通気口５１，５２を通じて流入又は流出する風が同隙間に入り込む等して、通気効率が低下することを抑制することができる。
【０１１２】
＜第３の実施の形態＞
本実施の形態においては制御板６１の保持構造が上記各実施の形態と相違している。具体的には、上記各実施の形態においては最大突出位置に配置された制御板６１に風が当たったとしても制御板６１の姿勢が変化しないようにカーテン用溝部３８によって制御板６１を保持する構成としたが、本実施の形態においては当該風を受けて制御板の姿勢が変化するように保持する構成が採用されている。以下、図８を参照して制御板の保持構造について説明する。なお、本実施の形態においては、第２の実施の形態との相違点を中心に説明し、同一の構成については説明を援用する。
【０１１３】
図８に示すように、シャッタケース３３の下面には、上方に凹むようにして制御板６１Ｙ用の収容部３６Ｙが形成されている。制御板６１Ｙは、その板面が上下を向くようにして収容されており、シャッタカーテン３１Ｙとは反対側の端部にて回動可能に軸支されている。
【０１１４】
制御板６１Ｙの他端部にはレールケース３７側に突出する軸ピン６２Ｙが設けられており、レールケース３７には、これら軸ピン６２Ｙが係合する係合溝６９Ｙが形成されている。係合溝６９Ｙは、制御板６１Ｙの回動中心部を中心とする円弧状をなしており、制御板６１Ｙが回動する際には、軸ピン６２Ｙが係合溝６９Ｙ内を摺動することで、制御板６１Ｙの姿勢を安定化させている。
【０１１５】
制御板６１Ｙは、回動先端部がシャッタカーテン３１から遠ざかるようにして回動することで、軸ピン６２Ｙが係合溝６９Ｙの端部に形成されたストッパ部６９ａＹに当接し、それ以上の回動が規制されることとなる。つまり、ストッパ部６９ａＹによって回動が規制された位置が、最大回動位置となっている。
【０１１６】
制御板６１Ｙは、収容部３６Ｙ内に収容されている状態では、ロック装置７５Ｙによって回動が阻止されている。ロック装置７５Ｙは制御装置７０に対して電気的に接続されており、制御装置７０からの解除信号を受信することで、ロック状態からアンロック状態に切り替わる。ロック装置７５Ｙがアンロック状態に切り替わった場合には、制御板６１Ｙが自重によりストッパ部６９ａＹに向けて回動することとなる。
【０１１７】
本実施の形態における制御板用駆動部６８Ｙについてはソレノイドが採用されている。制御板用駆動部６８Ｙは、制御装置７０から駆動信号によって励磁されることで制御板６１Ｙを収容位置へと回動させるように動作する。そして、駆動信号の出力は制御板６１Ｙが収容位置へ到達して、ロック装置７５Ｙがロック状態に切り替わった後に停止する。
【０１１８】
制御装置７０からの駆動信号は制御板６１Ｙを収容位置へと復帰させる場合以外は、出力されることがない。このため、制御板６１Ｙは、収容位置から離れた後は、自重によって最大回動位置に留まることとなる。
【０１１９】
制御板６１Ｙは、最大回動位置に配置されることで、上側通気口５１Ｙに屋外側から対向した状態となる。この状態では、制御板６１Ｙにおける屋外側を向いた面は垂直となっている。
【０１２０】
屋外側から外壁１３に吹き付ける風が強くなると、制御板６１Ｙに屋外側から風が当たるとで、制御板６１Ｙの姿勢が変化する。具体的には、上記回動中心部を中心として、回動基端部がシャッタカーテン３１に近づくように回動する。これにより、制御板６１Ｙにおける屋外側を向いた板面が斜めに傾斜した状態となり、当該板面に衝突した風が下方に誘導されることとなる。このようにして、吹き付けた風の勢いが弱まることを抑えつつ上側通気口５１から遠ざかる側へ風を誘導することで、制御板６１Ｙの回動先端部付近に生じる負圧が大きくなる。これにより、上側通気口５１Ｙを通じた居室１２の空気の吸出しが強くなり、通気効率の向上を実現することができる。
【０１２１】
ここで、制御板６１Ｙは、最大回動位置に位置している場合に、その回動先端部の高さ位置が上側通気口５１の下端縁の高さ位置よりも僅かに低くなるように設定されている。このため、上述した傾斜が大きくなった場合には、回動先端部の高さ位置が上側通気口５１の下端縁の高さ位置よりも高くなり、制御板６１Ｙと上側通気口５１との重なりが小さくなる。
【０１２２】
外壁１３に吹き付けている風が過度に強くなった場合には、制御板６１Ｙの傾きが大きくなり、一部の風が、制御板６１Ｙをすり抜けて、上側通気口５１内に流入しようとする。この結果、各通気口５１，５１における圧力差が低下し、通気効率の上昇が抑えられることとなる。つまり、強風時には、通気効率の上昇を抑えることで、居室１２の快適性が損なわれることを回避することが可能となる。
【０１２３】
なお、上述した各実施の形態の記載内容に限定されず、例えば次のように実施してもよい。因みに、以下の別形態の構成を、上記各実施の形態における構成に対して、個別に適用してもよく、相互に組み合わせて適用してもよい。
【０１２４】
（１）上記各実施の形態では、「規制部」としての制御板６１が風等の外力を受けて変形することがないようにある程度の剛性を確保する構成としたが、屋外からの風が「第２開放部」としての上側通気口５１へ流入することを規制できるのであれば、制御板６１が風等の外力を受けて変形する構成とすることも可能である。但し、上記実施の形態に示した負圧を好適に発生させようとした場合には、風を受けても変形しないようにある程度の強度を確保することが好ましい。
【０１２５】
（２）上記各実施の形態に示す制御板６１をシャッタカーテン３１と同様にスラット式としてもよい。つまり、制御板を所定方向（例えば上下方向）に並ぶ複数のスラットによって形成てもよい。かかる構成においては、それらスラットを回動させることにより、屋外側からの風の上側通気口５１への流入を規制する規制状態と規制を行わない非規制状態とに切替可能とするとよい。
【０１２６】
（３）上記各実施の形態では、制御板６１を規制位置と収容位置とに移動可能に保持する構成としたが、これに限定されるものではなく、制御板６１を常時規制位置に存在するにして固定することも可能である。
【０１２７】
また、制御板６１の取付対象については、必ずしもシャッタケース３３やレールケース３７等のシャッタ装置３０にかかる構成に限定されるものではない。外壁１３や軒先等を取付対象とすることも可能である。例えば、軒先において外壁１３からの距離がシャッタカーテン３１（詳しくは上側通気口５１）よりも離れている部分から吊り下げるようにして制御板６１を取り付けてもよい。但し、このような構成においては、上側通気口５１と制御板６１とを対向させようとした場合には、制御板６１が無駄に大きくなりやすい。これは、建物の外観等を考慮した場合には好ましい構成ではない。故に、望ましくは上記実施の形態に示したように制御板６１の取付対象はシャッタ装置３０（詳しくはシャッタケース３３やレールケース３７）とするとよい。
【０１２８】
（４）上記各実施の形態では、シャッタカーテン３１を複数のスラット３２によって構成し、それらスラット３２を回動させることで「開放部」としての通気口５１，５２を形成したが、これに限定されるものではない。少なくとも複数の通気口が形成されるのであれば足り、例えばシャッタカーテンの上部及び下部にスリットと同スリットを塞ぐ遮蔽体とを設け遮蔽体を変位又は取り除くことで、スリットが通気口として機能する構成とすることも可能である。
【０１２９】
なお、「開放部」については、開閉式とする必要はなく、常時開放されたままとなる構成であってもよい。
【０１３０】
（５）上記実施の形態においては、シャッタ装置３０のシャッタカーテン３１に「開放部」として通気口５１，５２を設けたが、これに限定されるものではなく、建物１０の外壁１３に複数の窓部を設け、これら窓部を「開放部」とすることも可能である。かかる変更を行う場合には、一方の窓部に屋外側から対向するようにして規制部を設ければよく、シャッタ装置３０を省略することも可能である。
【０１３１】
（６）複数の通気口５１，５２にて圧力差を生じさせることができるのであれば、下側通気口５２への風の流入を一部規制するようにして他の規制部等が設けられていてもよい。
【０１３２】
（７）上記各実施の形態では、複数の通気口５１，５２のうち上側通気口５１に対応させて制御板６１を設けたが、これを逆にして下側通気口５２に対応させて制御板６１を設けてもよい。このような構成とした場合には、上側通気口５１を屋外からの風の入口として機能させ、下側通気口５２を居室１２からの風の出口として機能させることができる。
【０１３３】
また、両通気口５１，５２に１対１で対応させて可動式の制御板を設け、環境条件に応じて各制御板を移動させて風の入口と出口とを切り替える構成とすることも可能である。
【０１３４】
（８）上記各実施の形態では、引き違いのサッシ戸２５が設けられた窓部１５にシャッタ装置３０を適用したが、これに限定されるものではない。少なくとも、開閉可能なサッシ戸を有する窓部であれば足り、例えば上下に並ぶ２つの窓パネルが各々上下方向に昇降移動する上げ下げ窓（特に両窓パネルが同時に移動する両上げ下げ窓）に適用することも可能である。
【０１３５】
但し、シャッタカーテン３１の移動方向については、サッシ戸の移動方向と直交する方向とし、窓部を開放した際に、シャッタカーテンに形成された複数の通気口と窓開口とが対向する構成とすることが好ましい。
【０１３６】
（９）シャッタ装置３０を窓部１５を挟んだ左右両側に設け、各シャッタ装置３０のシャッタカーテン３１を開位置と閉位置との中間位置にて停止可能な構成とし、サッシ戸２５を中間位置にて重ねて配置されていることを検知する位置検知センサを設け、制御装置７０は、位置検知センサからの検知情報に基づいて一方のシャッタ装置３０を駆動させることにより、左右に形成された窓開口のうち一方をシャッタカーテン３１により覆う構成とすることも可能である。
【０１３７】
（１０）上記各実施の形態では、「第１開放部」としての下側通気口５２の上下幅を「第２開放部」としての上側通気口５１の上下幅よりも小さくしたが、これに限定されるものではなく、各通気口５１，５２の上下幅の大小関係については任意である。但し、一般的に居室１２での生活が床面を基準として行われる点、防犯性の低下を抑える点、プライバシ確保、等の各種事情に鑑みれば、少なくとも下側通気口５２については、その上下幅が上側通気口５１よりも小さくなるように設定することが好ましい。
【０１３８】
（１１）上記各実施の形態では、通気構造、各種センサ８１〜８３、操作部８４、各種駆動部９１〜９３及び制御装置７０を用いて通気システムを構築したが、少なくとも上記通気構造に相当する構成があればよい。すなわち手動で通気が行える構成であれば足り、電気的構成を省略することも可能である。
【０１３９】
また、各種センサ８１〜８３及び自動通気スイッチを省略して（自動通気機能のみを省略して）、開閉スイッチ等の操作に応じてシャッタカーテン３１（スラット３２）及び制御板６１を駆動させる構成とすることも可能である。
【符号の説明】
【０１４０】
１０…建物、１２…居室、１３…建物の一面を構成する外壁、１５…窓開口としての窓部、２５…窓開閉パネルとしてのサッシ戸、３０…シャッタ装置、３１…シャッタカーテン、３２…スラット、３３…収容部としてのシャッタケース、３５…巻取ドラム、３７…レールケース、５１…第２開放部としての上側通気口、５２…第１開放部としての下側通気部、６１…規制部としての制御板、６５…張出部、７０…制御装置、８１…風向センサ、８２…風速センサ、８４…操作部。
【図１】
2013044147.tif 000003
【図２】
2013044147.tif 000004
【図３】
2013044147.tif 000005
【図４】
2013044147.tif 000006
【図５】
2013044147.tif 000007
【図６】
2013044147.tif 000008
【図７】
2013044147.tif 000009
【図８】
2013044147.tif 000010